(57)【要約】  【課題】使い勝手を向上した冷蔵庫の野菜室を冷蔵室からの冷気で冷却する風路に関し、冷蔵室や野菜室内の負荷による冷気の湿度や風速の変動に対しても安定した冷却量を確保できる使い勝手を向上した冷蔵庫を提供する。  【解決手段】野菜室６は、冷蔵室２に送られた前記冷気を前記野菜室６に戻すための冷蔵室用帰還風路１４と、前記野菜室６に送られた前記冷気を前記冷却器８に戻すための野菜室用帰還風路１７と、前記冷蔵室用帰還風路１４とは独立して冷気の一部を直接前記冷却器室７に戻すための第二の冷蔵室用帰還風路１８とからなる風路により冷却されるため、庫内スペースを有効に使いながら、冷蔵室および野菜室の安定した冷却性能を確保することができる。【選択図】図２
2007040664.tif 000002
【特許請求の範囲】
【請求項１】
冷蔵庫本体と、この本体の上部に設けられ食品等を保存する冷蔵室と、前記本体の冷蔵室の下に設けられ冷凍室温度帯から冷蔵、野菜、チルド等の温度帯に切り替え可能な切替室と、前記本体の前記冷蔵室の下で前記切替室に並列に設けられ製氷を行う製氷室と、前記本体の下部に設けられ食品等を冷凍する冷凍室と、並列に設置された前記切替室および製氷室と前記冷凍室の間に野菜等を収納する野菜室と、冷気を生成する冷却器と、前記冷却器を収容する冷却器室と、前記冷気を各室に供給するファン装置とを有し、前記冷蔵室に送られた前記冷気を前記野菜室に戻すための冷蔵室用帰還風路と、前記野菜室に送られた前記冷気を前記冷却器室に戻すための野菜室用帰還風路と、前記冷蔵室用帰還風路とは独立して冷気の一部を直接前記冷却器室に戻すための第二の冷蔵室用帰還風路とを備えたことを特徴とする冷蔵庫。
【請求項２】
前記冷凍室に前記冷気を供給するための冷凍室用送風路と、前記製氷室に前記冷気を供給するための製氷室用送風路と、前記製氷室から前記冷気を前記冷却器室に戻すための製氷室用帰還風路と、前記製氷室用送風路に至る冷気の一部を分流させて前記切替室に送る切替室用送風路と、前記切替室から前記冷気を前記冷却器室に戻すための切替室用帰還風路と、前記切替室用送風路に至る前記冷気の一部を分流させて前記冷蔵室に送る冷蔵室用送風路とをさらに備えたことを特徴とする請求項１に記載の冷蔵庫。
【請求項３】
前記冷凍室に前記冷気を供給するための冷凍室用送風路と、前記製氷室に前記冷気を供給するための製氷室用送風路と、前記製氷室から前記冷気を前記冷却器室に戻すための製氷室用帰還風路と、前記製氷室用送風路とは独立して前記切替室に送る切替室用送風路と、前記切替室から前記冷気を前記冷却器室に戻すための切替室用帰還風路と、前記切替室用送風路に至る前記冷気の一部を分流させて前記冷蔵室に送る冷蔵室用送風路とをさらに備えたことを特徴とする請求項１に記載の冷蔵庫。
【請求項４】
前記冷凍室に前記冷気を供給するための冷凍室用送風路と、前記切替室に前記冷気を供給するための切替室用送風路と、前記切替室から前記冷気を前記冷却器室に戻すための切替室用帰還風路と、前記切替室用送風路とは独立して前記製氷室に送る製氷室用送風路と、前記製氷室から前記冷気を前記冷却器室に戻すための製氷室用帰還風路と、前記製氷室用送風路に至る前記冷気の一部を分流させて前記冷蔵室に送る冷蔵室用送風路とをさらに備えたことを特徴とする請求項１に記載の冷蔵庫。
【請求項５】
前記冷凍室に前記冷気を供給するための冷凍室用送風路と、前記切替室に前記冷気を供給するための切替室用送風路と、前記切替室から前記冷気を前記冷却器室に戻すための切替室用帰還風路と、前記切替室用送風路とは独立して前記製氷室に送る製氷室用送風路と、前記製氷室から前記冷気を前記冷却器室に戻すための製氷室用帰還風路と、前記切替室用送風路および製氷室用送風路とは独立して前記冷蔵室に送る冷蔵室用送風路とをさらに備えたことを特徴とする請求項１に記載の冷蔵庫。
【請求項６】
第二の冷蔵室用帰還風路にダンパを設置することを特徴とする請求項１から５のいずれか一項に記載の冷蔵庫。
【請求項７】
野菜室用帰還風路にダンパを設置することを特徴とする請求項１から５のいずれか一項に記載の冷蔵庫。
【請求項８】
野菜室用帰還風路と第二の冷蔵室用帰還風路にツインダンパを設置することを特徴とする請求項１から５のいずれか一項に記載の冷蔵庫。
【発明の詳細な説明】
【技術分野】
【０００１】
本発明は、使い勝手を向上した冷蔵庫の野菜室を冷蔵室からの冷気で冷却する風路に関するものである。
【背景技術】
【０００２】
近年、様々なレイアウトの冷蔵庫が発売されている（例えば、特許文献１参照）。
【０００３】
図６は、特許文献１に記載された従来の冷蔵庫を示すものである。図６に示すように冷蔵庫本体１０１と、この本体の上部に設けられた冷蔵室１０２と、冷蔵室１０２の下に設けられた切替室１０３と、冷蔵室１０２の下で切替室１０３に並列に設けられた製氷室１０４と、本体下部設けられた冷凍室１０５と、並列に設置された切替室１０３及び製氷室１０４と冷凍室１０５の間に設けられた野菜室１０６と、冷気を生成する冷却器１０７と、冷気を各室に供給するファン装置１０８とを有し、冷凍室１０５に冷気を供給するための冷凍室用送風路１０９と、製氷室１０４に冷気を供給するための製氷用送風路１１０と、製氷室１０４から冷気を冷却器１０７に戻す製氷室用帰還風路１１１と、製氷室用送風路１１０を通る冷気の一部を分流させて、切替室１０３に送る切替室用送風路１１２と、切替室１０３から冷気を冷却器１０７に戻すための切替室用帰還風路１１３と、切替室用送風路１１２を通る冷気の一部を分流させて、冷蔵室１０２に送る冷蔵室用送風路１１４と、冷蔵室１０２に送られた冷気を野菜室１０６に戻すための冷蔵室用帰還風路１１５と、野菜室１０６に送ら冷気を冷却器１０７に戻すための野菜室用帰還風路１１６と、冷蔵室１０２から野菜室用帰還風路１１６に合流させ冷却器室に戻すための第二の冷蔵室帰還風路から構成される。
【特許文献１】特許第３２１２９５４号公報
【発明の開示】
【発明が解決しようとする課題】
【０００４】
しかしながら上記従来の構成では、冷蔵室１０２から野菜室用帰還風路１１６に合流させる第二の冷蔵室帰還風路を構成しているため、流れる冷気の湿度や風速の違いから合流部での流れが乱れ、冷却効率が低下するという課題を有していた。
【０００５】
本発明は、上記従来の課題を解決するもので、冷蔵室や野菜室内の負荷による冷気の湿度や風速の変動に対しても安定した冷却量を確保できる使い勝手を向上した冷蔵庫を提供することを目的とする。
【課題を解決するための手段】
【０００６】
上記従来の課題を解決するために、本発明の冷蔵庫は、冷蔵庫本体と、この本体の上部に設けられ食品等を保存する冷蔵室と、前記本体の冷蔵室の下に設けられ冷凍室温度帯から冷蔵、野菜、チルド等の温度帯に切り替え可能な切替室と、前記本体の前記冷蔵室の下で前記切替室に並列に設けられ製氷を行う製氷室と、前記本体の下部に設けられ食品等を冷凍する冷凍室と、並列に設置された前記切替室および製氷室と前記冷凍室の間に野菜等を収納する野菜室と、冷気を生成する冷却器と、前記冷却器を収容する冷却器室と、前記冷気を各室に供給するファン装置とを有し、前記冷蔵室に送られた前記冷気を前記野菜室に戻すための冷蔵室用帰還風路と、前記野菜室に送られた前記冷気を前記冷却器室に戻すための野菜室用帰還風路と、前記冷蔵室用帰還風路とは独立して冷気の一部を直接前記冷却器室に戻すための第二の冷蔵室用帰還風路とを備えたものである。
【０００７】
これによって、使い勝手を向上した冷蔵庫において、冷蔵室用帰還風路を野菜室に連通させることで、スペースを有効に使うことができるとともに、冷蔵室帰還風路の戻り冷気の一部を直接冷却器室に戻すことで、冷蔵室からの冷気戻りを野菜室の冷え過ぎを防ぐために絞る必要がなくなり、戻り風路の圧損を減らすことができる。また、冷蔵室から冷却器室に直接冷気を戻す風路を備えることにより、野菜室の庫内負荷に関係なく冷蔵室の戻り冷気量を確保することができる。
【発明の効果】
【０００８】
本発明の冷蔵庫は、冷蔵庫本体と、この本体の上部に設けられ食品等を保存する冷蔵室と、前記本体の冷蔵室の下に設けられ冷凍室温度帯から冷蔵、野菜、チルド等の温度帯に切り替え可能な切替室と、前記本体の前記冷蔵室の下で前記切替室に並列に設けられ製氷を行う製氷室と、前記本体の下部に設けられ食品等を冷凍する冷凍室と、並列に設置された前記切替室および製氷室と前記冷凍室の間に野菜等を収納する野菜室とを備えた冷蔵庫において、野菜室用帰還風路と冷蔵室から冷却器室へ直接戻す第二の冷蔵室帰還風路を備えたことにより、使い勝手を向上した冷蔵庫において、野菜室帰還風路と第二の冷蔵室帰還風路の安定した冷気の流れ、流量を確保することができ、冷蔵室および野菜室の安定した冷却性能を確保することができる。
【発明を実施するための最良の形態】
【０００９】
請求項１に記載の発明は、冷蔵庫本体と、この本体の上部に設けられ食品等を保存する冷蔵室と、前記本体の冷蔵室の下に設けられ冷凍室温度帯から冷蔵、野菜、チルド等の温度帯に切り替え可能な切替室と、前記本体の前記冷蔵室の下で前記切替室に並列に設けられ製氷を行う製氷室と、前記本体の下部に設けられ食品等を冷凍する冷凍室と、並列に設置された前記切替室および製氷室と前記冷凍室の間に野菜等を収納する野菜室と、冷気を生成する冷却器と、前記冷却器を収容する冷却器室と、前記冷気を各室に供給するファン装置とを有し、前記冷蔵室に送られた前記冷気を前記野菜室に戻すための冷蔵室用帰還風路と、前記野菜室に送られた前記冷気を前記冷却器室に戻すための野菜室用帰還風路と、前記冷蔵室用帰還風路とは独立して冷気の一部を直接前記冷却器室に戻すための第二の冷蔵室用帰還風路とを備えたものであり、使い勝手を向上した冷蔵庫において、冷蔵室用帰還風路を野菜室に連通させることで、庫内スペースを有効に使うことができるとともに、冷蔵室帰還風路の戻り冷気の一部を直接冷却器室に戻すことで、冷蔵室からの冷気戻りを野菜室の冷え過ぎを防ぐために絞る必要がなくなり、戻り風路の圧損を減らすことができる。また、冷蔵室から冷却器室に直接冷気を戻す風路を備えることにより、野菜室の庫内負荷に関係なく冷蔵室の戻り冷気量を確保することができ、冷蔵室および野菜室の安定した冷却性能を確保することができる。
【００１０】
請求項２に記載の冷蔵庫は、請求項１に記載の発明において、前記冷凍室に前記冷気を供給するための冷凍室用送風路と、前記製氷室に前記冷気を供給するための製氷室用送風路と、前記製氷室から前記冷気を前記冷却器室に戻すための製氷室用帰還風路と、前記製氷室用送風路に至る冷気の一部を分流させて前記切替室に送る切替室用送風路と、前記切替室から前記冷気を前記冷却器室に戻すための切替室用帰還風路と、前記切替室用送風路に至る前記冷気の一部を分流させて前記冷蔵室に送る冷蔵室用送風路とをさらに備えたものであり、冷蔵室および野菜室の安定した冷却性能を確保するとともに、各室の冷却性能確保することができる。また各室への送風路の簡素化を図ることができる。
【００１１】
請求項３に記載の冷蔵庫は、請求項１に記載の発明において、前記冷凍室に前記冷気を供給するための冷凍室用送風路と、前記製氷室に前記冷気を供給するための製氷室用送風路と、前記製氷室から前記冷気を前記冷却器室に戻すための製氷室用帰還風路と、前記製氷室用送風路とは独立して前記切替室に送る切替室用送風路と、前記切替室から前記冷気を前記冷却器室に戻すための切替室用帰還風路と、前記切替室用送風路に至る前記冷気の一部を分流させて前記冷蔵室に送る冷蔵室用送風路とをさらに備えたものであり、冷蔵室および野菜室の安定した冷却性能を確保するとともに、製氷室の冷却性能を安定して確保することができる。
【００１２】
請求項４に記載の冷蔵庫は、請求項１に記載の発明において、前記冷凍室に前記冷気を供給するための冷凍室用送風路と、前記切替室に前記冷気を供給するための切替室用送風路と、前記切替室から前記冷気を前記冷却器室に戻すための切替室用帰還風路と、前記切替室用送風路とは独立して前記製氷室に送る製氷室用送風路と、前記製氷室から前記冷気を前記冷却器室に戻すための製氷室用帰還風路と、前記製氷室用送風路に至る前記冷気の一部を分流させて前記冷蔵室に送る冷蔵室用送風路とをさらに備えたものであり、冷蔵室および野菜室の安定した冷却性能を確保するとともに、切替室の冷却性能を安定して確保することができる。
【００１３】
請求項５に記載の冷蔵庫は、請求項１に記載の発明において、前記冷凍室に前記冷気を供給するための冷凍室用送風路と、前記切替室に前記冷気を供給するための切替室用送風路と、前記切替室から前記冷気を前記冷却器室に戻すための切替室用帰還風路と、前記切替室用送風路とは独立して前記製氷室に送る製氷室用送風路と、前記製氷室から前記冷気を前記冷却器室に戻すための製氷室用帰還風路と、前記切替室用送風路および製氷室用送風路とは独立して前記冷蔵室に送る冷蔵室用送風路とをさらに備えたものであり、冷蔵室および野菜室の安定した冷却性能を確保するとともに、各室の冷却性能を安定して確保することができる。
【００１４】
請求項６に記載の冷蔵庫は、請求項１から５のいずれか一項に記載の発明において、第二の冷蔵室用帰還風路にダンパを設置するものであり、冷蔵室から野菜室への冷気の循環量を調節できるので、野菜室の負荷が高くなったときにダンパを閉じることで野菜室への循環量を増やすことができる。
【００１５】
請求項７に記載の冷蔵庫は、請求項１から５のいずれか一項に記載の発明において、野菜室用帰還風路にダンパを設置するものであり、野菜室の負荷が低くなったときにダンパを閉じることで野菜室への循環量を減らすことができる。
【００１６】
請求項８に記載の冷蔵庫は、請求項１から５のいずれか一項に記載の発明において、野菜室用帰還風路と第二の冷蔵室用帰還風路にツインダンパを設置するものであり、冷蔵室から野菜室への風量の調整が容易にでき、野菜室の負荷量に応じてツインダンパを開閉することにより冷蔵室および野菜室を効率よく冷却することができる。
【００１７】
以下、本発明の実施の形態について、図面を参照しながら説明する。なお、この実施の形態によってこの発明が限定されるものではない。
【００１８】
（実施の形態１）
図１は本発明の実施の形態１による冷蔵庫の正面図である。図１に示すように、冷蔵庫本体１と、この本体の上部に設置される開閉ドアを備えて食品等を保存する冷蔵室２と本体の冷蔵室２の下に設置される引き出しドアを備えて冷凍室温度帯から冷蔵、野菜、チルド等の温度帯に切り替え可能な切替室３と本体の冷蔵室２の下で切替室３に並列に設けられ引き出しドアを備える製氷を行う製氷室４と本体の下部に設けられ引き出しドアを備える食品等を冷凍する冷凍室５と、並列に設置された切替室３および製氷室４と冷凍室５の間に野菜等を収納する野菜室６とで構成される。
【００１９】
図２は本発明の実施の形態１による冷蔵庫の風路を示す正面図である。冷気を生成する冷却器８と、冷気を各室に供給するファン装置９とを有し、冷凍室５に連通した冷却器８と、冷凍室５に冷気を供給するための冷凍室用送風路１３と、製氷室４に冷気を供給するための製氷室用送風路１２と、製氷室４から冷気を冷却器室７に戻すための製氷室用帰還風路１６と、製氷室用送風路１２に至る冷気の一部を分流させて、切替室３に送る切替室用送風路１１と、切替室３から冷気を冷却器室７に戻すための切替室用帰還風路１５と、切替室用送風路１１に至る冷気の一部を分流させて、冷蔵室２に送る冷蔵室用送風路１０と、冷蔵室２に送られた冷気を野菜室６に戻すための冷蔵室用帰還風路１４と、野菜室６に送られた冷気を冷却器８に戻すための野菜室用帰還風路１７と、冷蔵室用帰還風路１４とは独立して冷気の一部を直接冷却器室７に戻すための第二の冷蔵室用帰還風路１８とで構成される。そして、製氷室用送風路１２内には製氷室用ダンパ１２ａ、切替室用送風路１１と冷蔵室用送風路１０内にはツインダンパ１０ａを備え、それぞれの室への冷気を制御している。
【００２０】
以上のように構成された冷蔵庫について、以下その動作、作用について説明する。
【００２１】
冷蔵庫本体１と、この本体の上部に設置される開閉ドアを備えて食品等を保存する冷蔵室２と本体の冷蔵室２の下に設置される引き出しドアを備えて冷凍室温度帯から冷蔵、野菜、チルド等の温度帯に切り替え可能な切替室３と本体の冷蔵室２の下で切替室３に並列に設けられ引き出しドアを備える製氷を行う製氷室４と本体の下部に設けられ引き出しドアを備える食品等を冷凍する冷凍室５と、並列に設置された切替室３および製氷室４と冷凍室５の間に野菜等を収納する野菜室６とで構成される冷蔵庫において、冷凍室５、冷蔵室２、切替室３、製氷室４は、上記風路構成およびダンパ装置により、所定の温度に冷却される。そして、野菜室６は、冷蔵室２に送られた冷気を野菜室６に戻すための冷蔵室用帰還風路１４と、野菜室６に送られた冷気を冷却器８に戻すための野菜室用帰還風路１７と、冷蔵室用帰還風路１４とは独立して冷気の一部を直接冷却器室７に戻すための第二の冷蔵室用帰還風路１８とからなる風路により冷却されるため、庫内スペースを有効に使うことができる。さらに冷蔵室帰還風路の戻り冷気の一部を直接冷却器室に戻すことで、冷蔵室からの冷気戻りを野菜室の冷え過ぎを防ぐために絞る必要がなくなり、戻り風路の圧損を減らすことができる。また、冷蔵室から冷却器室に直接冷気を戻す風路を備えることにより、野菜室の庫内負荷に関係なく冷蔵室の戻り冷気量を確保することができ、冷蔵室および野菜室の安定した冷却性能を確保することができる。
【００２２】
なお、第二の冷蔵室用帰還風路１８にダンパ１９を設置すれば、冷蔵室２から野菜室６への冷気の循環量を調節できるので、野菜室６の負荷が高くなったときにダンパ１９を閉じることで野菜室６への循環量を増やすことができる。また、野菜室用帰還風路１７にダンパ２０を設置すれば冷蔵室２から野菜室６への冷気の循環量を調節できるので、野菜室６の負荷が低くなったときにダンパ２０を閉じることで野菜室６への循環量を減らすことができる。また、野菜室用帰還風路１７と第二の冷蔵室用帰還風路１８にツインダンパ２１を設置すれば、冷蔵室２から野菜室６への風量の調整が容易にでき、野菜室６の負荷量に応じてツインダンパ２１を開閉することにより冷蔵室２および野菜室６を効率よく冷却することができる。
【００２３】
（実施の形態２）
図３は本発明の実施の形態２による冷蔵庫の風路を示す正面図である。図３において、冷気を生成する冷却器８と、冷気を各室に供給するファン装置９とを有し、冷凍室５に連通した冷却器８と、冷凍室５に冷気を供給するための冷凍室用送風路１３と、製氷室４に冷気を供給するための製氷室用送風路１２と、製氷室４から冷気を冷却器室７に戻すための製氷室用帰還風路１６と、製氷室用送風路１２とは独立して切替室３に送る切替室用送風路１１と、切替室３から冷気を冷却器室７に戻すための切替室用帰還風路１５と、切替室用送風路１１に至る冷気の一部を分流させて冷蔵室２に送る冷蔵室用送風路１０とを備え、冷蔵室２に送られた冷気を野菜室６に戻すための冷蔵室用帰還風路１４と、野菜室６に送られた冷気を冷却器８に戻すための野菜室用帰還風路１７と、冷蔵室用帰還風路１４とは独立して冷気の一部を直接冷却器室７に戻すための第二の冷蔵室用帰還風路１８とで構成される。
【００２４】
以上のように構成された冷蔵庫について、以下その動作、作用について説明する。
【００２５】
冷蔵庫本体１と、この本体の上部に設置される開閉ドアを備えて食品等を保存する冷蔵室２と本体の冷蔵室２の下に設置される引き出しドアを備えて冷凍室温度帯から冷蔵、野菜、チルド等の温度帯に切り替え可能な切替室３と本体の冷蔵室２の下で切替室３に並列に設けられ引き出しドアを備える製氷を行う製氷室４と本体の下部に設けられ引き出しドアを備える食品等を冷凍する冷凍室５と、並列に設置された切替室３および製氷室４と冷凍室５の間に野菜等を収納する野菜室６とで構成される冷蔵庫において、冷凍室５、冷蔵室２、切替室３、製氷室４は、上記風路構成およびダンパ装置により、所定の温度に冷却される。このとき、製氷室用送風路１２とは独立して切替室３に送る切替室用送風路１１を備えていることで、製氷室４の冷却性能を安定して確保することができる。
【００２６】
そして、野菜室６は、冷蔵室２に送られた冷気を野菜室６に戻すための冷蔵室用帰還風路１４と、野菜室６に送られた冷気を冷却器８に戻すための野菜室用帰還風路１７と、冷蔵室用帰還風路１４とは独立して冷気の一部を直接冷却器室７に戻すための第二の冷蔵室用帰還風路１８とからなる風路により冷却されるため、庫内スペースを有効に使うことができる。さらに冷蔵室帰還風路の戻り冷気の一部を直接冷却器室に戻すことで、冷蔵室からの冷気戻りを野菜室の冷え過ぎを防ぐために絞る必要がなくなり、戻り風路の圧損を減らすことができる。また、冷蔵室から冷却器室に直接冷気を戻す風路を備えることにより、野菜室の庫内負荷に関係なく冷蔵室の戻り冷気量を確保することができ、冷蔵室および野菜室の安定した冷却性能を確保することができる。
【００２７】
（実施の形態３）
図４は本発明の実施の形態３による冷蔵庫の風路を示す正面図である。図４において、冷気を生成する冷却器８と、冷気を各室に供給するファン装置９とを有し、冷凍室５に連通した冷却器８と、冷凍室５に冷気を供給するための冷凍室用送風路１３と、切替室３に冷気を供給するための切替室用送風路１１と、切替室３から冷気を冷却器室７に戻すための切替室用帰還風路１５と、切替室用送風路１１とは独立して製氷室４に送る製氷室用送風路１２と、製氷室４から冷気を冷却器室７に戻すための製氷室用帰還風路１２と、製氷室用送風路１２に至る冷気の一部を分流させて冷蔵室２に送る冷蔵室用送風路１０とを備え、冷蔵室２に送られた冷気を野菜室６に戻すための冷蔵室用帰還風路１４と、野菜室６に送られた冷気を冷却器８に戻すための野菜室用帰還風路１７と、冷蔵室用帰還風路１４とは独立して冷気の一部を直接冷却器室７に戻すための第二の冷蔵室用帰還風路１８とで構成される。
【００２８】
以上のように構成された冷蔵庫について、以下その動作、作用について説明する。
【００２９】
冷蔵庫本体１と、この本体の上部に設置される開閉ドアを備えて食品等を保存する冷蔵室２と本体の冷蔵室２の下に設置される引き出しドアを備えて冷凍室温度帯から冷蔵、野菜、チルド等の温度帯に切り替え可能な切替室３と本体の冷蔵室２の下で切替室３に並列に設けられ引き出しドアを備える製氷を行う製氷室４と本体の下部に設けられ引き出しドアを備える食品等を冷凍する冷凍室５と、並列に設置された切替室３および製氷室４と冷凍室５の間に野菜等を収納する野菜室６とで構成される冷蔵庫において、冷凍室５、冷蔵室２、切替室３、製氷室４は、上記風路構成およびダンパ装置により、所定の温度に冷却される。このとき、切替室用送風路１１とは独立して製氷室４に送る製氷室用送風路１２を備えていることで、切替室３の冷却性能を安定して確保することができる。
【００３０】
そして、野菜室６は、冷蔵室２に送られた冷気を野菜室６に戻すための冷蔵室用帰還風路１４と、野菜室６に送られた冷気を冷却器８に戻すための野菜室用帰還風路１７と、冷蔵室用帰還風路１４とは独立して冷気の一部を直接冷却器室７に戻すための第二の冷蔵室用帰還風路１８とからなる風路により冷却されるため、庫内スペースを有効に使うことができる。さらに冷蔵室帰還風路の戻り冷気の一部を直接冷却器室に戻すことで、冷蔵室からの冷気戻りを野菜室の冷え過ぎを防ぐために絞る必要がなくなり、戻り風路の圧損を減らすことができる。また、冷蔵室から冷却器室に直接冷気を戻す風路を備えることにより、野菜室の庫内負荷に関係なく冷蔵室の戻り冷気量を確保することができ、冷蔵室および野菜室の安定した冷却性能を確保することができる。
【００３１】
（実施の形態４）
図５は本発明の実施の形態４による冷蔵庫の風路を示す正面図である。図５において、冷気を生成する冷却器８と、冷気を各室に供給するファン装置９とを有し、冷凍室５に連通した冷却器８と、冷凍室５に冷気を供給するための冷凍室用送風路１３と、切替室３に冷気を供給するための切替室用送風路１１と、切替室３から冷気を冷却器室７に戻すための切替室用帰還風路１５と、切替室用送風路１１とは独立して製氷室４に送る製氷室用送風路１２と、製氷室４から冷気を冷却器室７に戻すための製氷室用帰還風路１６と、切替室用送風路１１および製氷室用送風路１２とは独立して冷蔵室２に送る冷蔵室用送風路１０とを備え、冷蔵室２に送られた冷気を野菜室６に戻すための冷蔵室用帰還風路１４と、野菜室６に送られた冷気を冷却器８に戻すための野菜室用帰還風路１７と、冷蔵室用帰還風路１４とは独立して冷気の一部を直接冷却器室７に戻すための第二の冷蔵室用帰還風路１８とで構成される。
【００３２】
以上のように構成された冷蔵庫について、以下その動作、作用について説明する。
【００３３】
冷蔵庫本体１と、この本体の上部に設置される開閉ドアを備えて食品等を保存する冷蔵室２と本体の冷蔵室２の下に設置される引き出しドアを備えて冷凍室温度帯から冷蔵、野菜、チルド等の温度帯に切り替え可能な切替室３と本体の冷蔵室２の下で切替室３に並列に設けられ引き出しドアを備える製氷を行う製氷室４と本体の下部に設けられ引き出しドアを備える食品等を冷凍する冷凍室５と、並列に設置された切替室３および製氷室４と冷凍室５の間に野菜等を収納する野菜室６とで構成される冷蔵庫において、冷凍室５、冷蔵室２、切替室３、製氷室４は、上記風路構成およびダンパ装置により、所定の温度に冷却される。このとき、切替室用送風路１１および製氷室用送風路１２とは独立して冷蔵室２に送る冷蔵室用送風路１０とを備えていることで、切替室３および製氷室４の冷却性能を安定して確保することができる。
【００３４】
そして、野菜室６は、冷蔵室２に送られた冷気を野菜室６に戻すための冷蔵室用帰還風路１４と、野菜室６に送られた冷気を冷却器８に戻すための野菜室用帰還風路１７と、冷蔵室用帰還風路１４とは独立して冷気の一部を直接冷却器室７に戻すための第二の冷蔵室用帰還風路１８とからなる風路により冷却されるため、庫内スペースを有効に使うことができる。さらに冷蔵室帰還風路の戻り冷気の一部を直接冷却器室に戻すことで、冷蔵室からの冷気戻りを野菜室の冷え過ぎを防ぐために絞る必要がなくなり、戻り風路の圧損を減らすことができる。また、冷蔵室から冷却器室に直接冷気を戻す風路を備えることにより、野菜室の庫内負荷に関係なく冷蔵室の戻り冷気量を確保することができ、冷蔵室および野菜室の安定した冷却性能を確保することができる。
【産業上の利用可能性】
【００３５】
以上のように、本発明にかかる冷蔵庫は、冷蔵室用帰還風路を野菜室に連通させることにより、スペースを有効に使うことができる。また、冷蔵室帰還風路の戻り冷気の一部を直接冷却器室７に戻すため、冷蔵室からの冷気戻りを野菜室の冷え過ぎを防ぐために絞る必要がなくなるので、戻り風路の圧損を減らすことができ冷却性能を向上させることができる。また、冷蔵室から冷却器室に直接冷気を戻す風路を備えることにより、野菜室の庫内負荷に関係なく冷蔵室の戻り冷気量を確保することができるので、冷凍機器全般の冷却方法の用途にも適用できる。
【図面の簡単な説明】
【００３６】
【図１】本発明の実施の形態１における冷蔵庫の正面図
【図２】本発明の実施の形態１における冷蔵庫の風路を示す正面図
【図３】本発明の実施の形態２における冷蔵庫の風路を示す正面図
【図４】本発明の実施の形態３における冷蔵庫の風路を示す正面図
【図５】本発明の実施の形態４における冷蔵庫の風路を示す正面図
【図６】従来の冷蔵庫の風路を示す正面図
【符号の説明】
【００３７】
１    冷蔵庫本体
２    冷蔵室
３    切替室
４    製氷室
５    冷凍室
６    野菜室
７    冷却器室
８    冷却器
９    ファン
１０  冷蔵室用送風路
１０ａ  ツインダンパ
１１  切替室用送風路
１２  製氷室用送風路
１３  冷凍室用送風路
１４  冷蔵室用帰還風路
１５  切替室用帰還風路
１６  製氷室用帰還風路
１７  野菜室用帰還風路
１８  第二の冷蔵室用帰還風路
１９  第二の冷蔵室用帰還風路用ダンパ
２０  野菜室用帰還風路用ダンパ
２１  ツインダンパ
【図１】
2007040664.tif 000003
【図２】
2007040664.tif 000004
【図３】
2007040664.tif 000005
【図４】
2007040664.tif 000006
【図５】
2007040664.tif 000007
【図６】
2007040664.tif 000008